(57)【要約】【課題】携帯端末向けアプリケーションの認知度を向上させ、アプリケーションの普及を図る公衆回線網接続制御方法及びアプリケーション管理装置を提供すること。【解決手段】携帯端末から、公衆回線網への接続要求を受信するステップと、前記公衆回線網への接続要求を受信した場合に、アプリケーションを前記携帯端末にインストールさせる、又はインストール情報を送信するステップと、前記公衆回線網への接続要求を受信した場合に、公衆無線ＬＡＮ接続制御装置に対して前記公衆回線網への接続要求を送信するステップと、を実行する公衆回線網接続制御方法を提供する。【選択図】図３
2017204850.tif 000002
【特許請求の範囲】
【請求項１】
携帯端末から、公衆回線網への接続要求を受信するステップと、
前記公衆回線網への接続要求を受信した場合に、アプリケーションを前記携帯端末にインストールさせる、又はインストール情報を送信するステップと、
前記公衆回線網への接続要求を受信した場合に、公衆無線ＬＡＮ接続制御装置に対して前記公衆回線網への接続要求を送信するステップと、
を含む公衆回線網接続制御方法。
【請求項２】
前記携帯端末に前記アプリケーションがインストールされた、又は前記携帯端末が前記インストール情報を受信したことを示す信号を受信した場合に、前記公衆無線ＬＡＮ接続制御装置に対して前記公衆回線網への接続要求を送信する請求項１に記載の公衆回線網接続制御方法。
【請求項３】
前記アプリケーションのインストール、又は前記インストール情報の前記携帯端末への送信は、公衆無線ＬＡＮアクセスポイントを介して行われ、
前記公衆無線ＬＡＮアクセスポイントが前記アプリケーションのインストール、又は前記インストール情報の前記携帯端末への送信を行ったことを示す信号を受信した場合に、前記公衆無線ＬＡＮ接続制御装置に対して前記公衆回線網への接続要求を送信する請求項１に記載の公衆回線網接続制御方法。
【請求項４】
前記携帯端末にて前記アプリケーションの利用を開始したことを示す信号を受信した場合に、前記公衆無線ＬＡＮ接続制御装置に対して前記公衆回線網への接続要求を送信する請求項１〜３のいずれか一項に記載の公衆回線網接続制御方法。
【請求項５】
前記携帯端末にて前記アプリケーションへログインしたことを示す信号を受信した場合に、前記公衆無線ＬＡＮ接続制御装置に対して前記公衆回線網への接続要求を送信する請求項１〜４のいずれか一項に記載の公衆回線網接続制御方法。
【請求項６】
前記携帯端末にて前記アプリケーションへログインしたことを示す信号を受信しなかった場合に、前記公衆無線ＬＡＮ接続制御装置に対して接続上限時間を設定した上で前記公衆回線網への接続要求を送信する、請求項１〜５のいずれか一項に記載の公衆回線網接続制御方法。
【請求項７】
前記携帯端末における前記アプリケーションの使用時間及び使用内容の少なくとも一方に応じて接続上限時間を設定した上で前記公衆回線網への接続要求を送信する、請求項１〜５のいずれか一項に記載の公衆回線網接続制御方法。
【請求項８】
前記携帯端末における前記アプリケーションの使用時間が長いほど前記接続上限時間が長く設定される、請求項７に記載の公衆回線網接続制御方法。
【請求項９】
前記使用内容が、前記アプリケーションを使用した施設の予約回数又は予約頻度を含み、
前記予約回数が多いほど又は前記予約頻度が高いほど前記接続上限時間が長く設定される、請求項７又は８に記載の公衆回線網接続制御方法。
【請求項１０】
前記使用内容が、前記携帯端末において前記アプリケーションを使用して予約された施設の種類及び予約使用時間の少なくとも一方を含み、
前記施設の種類に応じて推定される使用時間又は前記予約使用時間が長いほど前記接続上限時間が長く設定される、請求項１〜５のいずれかに記載の公衆回線網接続制御方法。
【請求項１１】
携帯端末から、公衆回線網への接続要求を受信するステップと、
前記公衆回線網への接続要求を受信した場合に、アプリケーションを前記携帯端末にインストールさせる、又はインストール情報を送信するステップと、
前記公衆回線網への接続を確立するステップと、
を含む公衆回線網接続制御方法。
【請求項１２】
前記携帯端末に前記アプリケーションがインストールされた、又は前記携帯端末が前記インストール情報を受信したことを示す信号を受信した場合に、前記公衆回線網への接続を確立する請求項１１に記載の公衆回線網接続制御方法。
【請求項１３】
前記アプリケーションのインストール、又は前記インストール情報の前記携帯端末への送信は、公衆無線ＬＡＮアクセスポイントを介して行われ、
前記公衆無線ＬＡＮアクセスポイントが前記アプリケーションのインストール、又は前記インストール情報の前記携帯端末への送信を行ったことを示す信号を受信した場合に、前記公衆回線網への接続を確立する請求項１１に記載の公衆回線網接続制御方法。
【請求項１４】
前記携帯端末にて前記アプリケーションの利用を開始したことを示す信号を受信した場合に、前記公衆回線網への接続を確立する請求項１１〜１３のいずれか一項に記載の公衆回線網接続制御方法。
【請求項１５】
前記携帯端末にて前記アプリケーションへログインしたことを示す信号を受信した場合に、前記公衆回線網への接続を確立する請求項１１〜１４のいずれか一項に記載の公衆回線網接続制御方法。
【請求項１６】
前記携帯端末にて前記アプリケーションへログインしたことを示す信号を受信しなかった場合に、接続上限時間を設定した上で前記公衆回線網への接続を確立する、請求項１１〜１５のいずれか一項に記載の公衆回線網接続制御方法。
【請求項１７】
前記携帯端末における前記アプリケーションの使用時間及び使用内容の少なくとも一方に応じて接続上限時間を設定した上で前記公衆回線網への接続要求を確立する、請求項１１〜１５のいずれか一項に記載の公衆回線網接続制御方法。
【請求項１８】
前記携帯端末における前記アプリケーションの使用時間が長いほど前記接続上限時間が長く設定される、請求項１７に記載の公衆回線網接続制御方法。
【請求項１９】
前記使用内容が、前記アプリケーションを使用した施設の予約回数又は予約頻度を含み、
前記予約回数が多いほど又は前記予約頻度が高いほど前記接続上限時間が長く設定される、請求項１７又は１８に記載の公衆回線網接続制御方法。
【請求項２０】
前記使用内容が、前記携帯端末において前記アプリケーションを使用して予約された施設の種類及び予約使用時間の少なくとも一方を含み、
前記施設の種類に応じて推定される使用時間又は前記予約使用時間が長いほど前記接続上限時間が長く設定される、請求項１７〜１９のいずれかに記載の公衆回線網接続制御方法。
【請求項２１】
携帯端末から、公衆回線網への接続要求を受信する接続要求受信部と、
前記接続要求受信部が公衆回線網への接続要求を受信した場合に、アプリケーションを前記携帯端末にインストールさせる、又はインストール情報を送信するインストール制御部と、
前記接続要求受信部が前記公衆回線網への接続要求を受信した場合に、公衆無線ＬＡＮ接続制御装置に対して前記公衆回線網への接続要求を送信する接続要求送信部と、
を備えるアプリケーション管理装置。
【請求項２２】
携帯端末から、公衆回線網への接続要求を受信する接続要求受信部と、
前記接続要求受信部が公衆回線網への接続要求を受信した場合に、アプリケーションを前記携帯端末にインストールさせる、又はインストール情報を送信するインストール制御部と、
前記公衆回線網への接続を確立する接続確立部と、
を備えるアプリケーション管理装置。
【発明の詳細な説明】
【技術分野】
【０００１】
本発明は、公衆回線網接続制御方法及びアプリケーション管理装置に関する。
【背景技術】
【０００２】
携帯端末の普及に伴って携帯端末向けアプリケーションの開発及びリリースが盛んに行われており、アプリケーションのユーザ獲得競争が激化している。一般的には、広告を出すなどのマーケティング手法を工夫することによりアプリケーションの普及とユーザの獲得が図られているが、マーケティング手法にも限りがあることからアプリケーションの普及に貢献できる技術が求められている。
【０００３】
例えば、ユーザが携帯端末のアプリケーションを利用する動機付けを高めることを目的として、ユーザがまだ利用していないアプリケーションの報酬を当該ユーザに対して仮付与することにより、ユーザに対して当該アプリケーションの興味を持たせるようにして、当該アプリケーションを利用させる動機付けを高める技術が知られている（例えば、特許文献１参照）。
【先行技術文献】
【特許文献】
【０００４】
【特許文献１】特開２０１５−１１５４３号公報
【発明の概要】
【発明が解決しようとする課題】
【０００５】
しかしながら、どのようなアプリケーションを使用しているのかという個人的な情報を公開したくないと考えるユーザに対しては、上記技術は有効に機能しない。また、海外からの旅行者など、普段は他国で使用している携帯端末を持ち込んで使用しているユーザの場合にはアプリケーションの利用状況を把握すること自体が困難な場合もある。
【０００６】
そこで、本発明は、携帯端末向けアプリケーションの認知度を向上させ、アプリケーションの普及を図る公衆回線網接続制御方法及びアプリケーション管理装置を提供することを主目的とする。
【課題を解決するための手段】
【０００７】
本発明に係る公衆回線接続制御方法は、携帯端末から、公衆回線網への接続要求を受信するステップと、前記公衆回線網への接続要求を受信した場合に、アプリケーションを前記携帯端末にインストールさせる、又はインストール情報を送信するステップと、前記公衆回線網への接続要求を受信した場合に、公衆無線ＬＡＮ接続制御装置に対して前記公衆回線網への接続要求を送信するステップとを含む。
【０００８】
本発明に係る公衆回線接続制御方法は、携帯端末から、公衆回線網への接続要求を受信するステップと、前記公衆回線網への接続要求を受信した場合に、アプリケーションを前記携帯端末にインストールさせる、又はインストール情報を送信するステップと、前記公衆回線網への接続を確立するステップとを含む。
【０００９】
本発明に係るアプリケーション管理装置は、携帯端末から、公衆回線網への接続要求を受信する接続要求受信部と、前記接続要求受信部が公衆回線網への接続要求を受信した場合に、アプリケーションを前記携帯端末にインストールさせる、又はインストール情報を送信するインストール制御部と、前記接続要求受信部が前記公衆回線網への接続要求を受信した場合に、公衆無線ＬＡＮ接続制御装置に対して前記公衆回線網への接続要求を送信する接続要求送信部とを備える。
【００１０】
本発明に係るアプリケーション管理装置は、携帯端末から、公衆回線網への接続要求を受信する接続要求受信部と、前記接続要求受信部が公衆回線網への接続要求を受信した場合に、アプリケーションを前記携帯端末にインストールさせる、又はインストール情報を送信するインストール制御部と、前記公衆回線網への接続を確立する接続確立部とを備える。
【発明の効果】
【００１１】
本発明によれば、携帯端末向けアプリケーションの認知度を向上させ、アプリケーションの普及を図る技術を提供することができる。
【図面の簡単な説明】
【００１２】
【図１】図１は、公衆回線網接続制御方法を実施するためのシステム構成の一例を示す図である。
【図２】図２は、携帯端末、公衆無線ＬＡＮアクセスポイント、アプリケーション管理装置及び公衆無線ＬＡＮ接続制御装置の機能構成の一例を示すブロック図である。
【図３】図３は、第１実施形態に係る公衆回線網接続制御方法における処理の流れの一例を示すシーケンス図である。
【図４】図４は、第１実施形態の第１変形例に係る公衆回線網接続制御方法における処理の流れの一例を示すシーケンス図である。
【図５】図５は、第２実施形態に係る公衆回線網接続制御方法における処理の流れの一例を示すシーケンス図である。
【図６】図６は、第３実施形態に係るアプリケーション管理装置及び公衆無線ＬＡＮ接続制御装置における処理手順の一例を示すフローチャートである。
【図７】図７は、第４実施形態に係るアプリケーション管理装置及び公衆無線ＬＡＮ接続制御装置における処理手順の一例を示すフローチャートである。
【発明を実施するための形態】
【００１３】
以下、本発明を実施するための形態について図面を参照しながら説明する。なお、以下に説明する実施形態は、本発明の実施形態の一例を示したものであり、これにより本発明の範囲が狭く解釈されることはない。
【００１４】
＜システム構成＞
まず、図１を参照して、本実施形態に係る公衆回線網接続制御方法を実施するためのシステム構成について説明する。携帯端末１は無線で公衆無線ＬＡＮアクセスポイント２と通信することができる。公衆無線ＬＡＮアクセスポイント２、アプリケーション管理装置３及び公衆無線ＬＡＮ接続制御装置４は公衆回線網５を介して相互に通信可能である。
【００１５】
携帯端末１としては、例えば、スマートフォン、携帯電話、タブレット型コンピュータ、パーソナルコンピュータなどが挙げられる。
【００１６】
公衆無線ＬＡＮアクセスポイント２は、無線ＬＡＮを使用した公衆回線網への接続が可能であればその設置場所は特に限定されず、商業施設、公共交通機関、公共施設、宿泊施設及び学校などの建物内であってもよく、車両及び航空機などの乗り物内であってもよい。
【００１７】
アプリケーション管理装置３及び公衆無線ＬＡＮ接続制御装置４は、プログラムの演算処理を実行するＣＰＵなどの演算装置、コンピュータプログラム及びデータを記憶するＲＡＭ、ＲＯＭ及びハードディスクドライブなどの記憶装置、インターネット又はＬＡＮなどのネットワークを介してデータを送受信する通信装置などを備えるサーバ装置である。
【００１８】
＜機能構成＞
次に、図２を参照して、本実施形態に係る公衆回線網接続制御方法を実施するためのシステムを構成する各種機器の機能構成について説明する。図２は、携帯端末１、公衆無線ＬＡＮアクセスポイント２、アプリケーション管理装置３及び公衆無線ＬＡＮ接続制御装置４の機能構成の一例を示すブロック図である。
【００１９】
携帯端末１は、制御部１１、記憶部１２、通信部１３、表示部１４及び入力部１５を備える。
【００２０】
制御部１１は、携帯端末１においてプログラムの演算処理を実行するＣＰＵ（Ｃｅｎｔｒａｌ  Ｐｒｏｃｅｓｓｉｎｇ  Ｕｎｉｔ）などの演算装置を備えており、携帯端末１が備える各部を制御する。なお、前記演算装置には処理の一時記憶領域（作業領域）として使用されるＲＡＭ等も含まれる。また、制御部１１は、記憶部１２に記憶されたデータ及びプログラムなどを読み込んで実行する。記憶部１２は、ＯＳ及び携帯端末１の各種機能を制御するプログラム、アプリケーション管理装置３からダウンロードしたアプリケーションのデータなどを記憶する半導体メモリなどの不揮発性の記憶部である。
【００２１】
通信部１３は、公衆無線ＬＡＮアクセスポイント２との通信を行う。表示部１４は、文字及び画像などの表示を行う。入力部１５は、ユーザの入力操作に応じた入力信号を生成する。携帯端末１にディスプレイ及び操作ボタンを設けることにより表示部１４と入力部１５とを別々に構成してもよく、携帯端末１にタッチパネルを設けることにより表示部１４と入力部１５とを一体に構成してもよい。
【００２２】
制御部１１は、接続要求部１１１、インストール部１１２、送信部１１３及び受信部１１４を備える。具体的に、制御部１１は、記憶部１２に記憶される各種のプログラムに従った処理を実行することにより、接続要求部１１１、インストール部１１２、送信部１１３及び受信部１１４として機能する。接続要求部１１１は、公衆無線ＬＡＮアクセスポイント２経由でアプリケーション管理装置３又は公衆無線ＬＡＮ接続制御装置４に対して公衆回線網５への接続要求を送信する。公衆回線網への接続要求とは、携帯端末から公衆回線網への接続を要求する旨の情報であり、要求元である携帯端末１を一意に特定できる情報を含む。携帯端末を一意に特定できる情報としては、例えば、携帯端末固有の識別番号又はＭＡＣアドレスなどが挙げられる。
【００２３】
インストール部１１２は、アプリケーションをインストールするために必要な情報（以下、「インストール情報」ともいう。）をアプリケーション管理装置３から受信して、アプリケーションをインストールする。インストール部１１２は、インストール情報を受信した場合に、インストール情報を受信したことを示す信号をアプリケーション管理装置３へ向けて送信することができる。また、インストール部１１２は、アプリケーションのインストールが完了した場合に、アプリケーションがインストールされたことを示す信号をアプリケーション管理装置３へ向けて送信することができる。
【００２４】
送信部１１３は、各種信号又は情報の送信を行う。例えば、後述する情報取得部１１５が取得したアプリケーションに関する情報を信号としてアプリケーション管理装置３又は公衆無線ＬＡＮ接続制御装置４へ向けて送信することができる。受信部１１４は、携帯端末１が公衆回線網５へ接続するために必要な接続確立情報を受信する。
【００２５】
また、制御部１１は、必要に応じて情報取得部１１５を備えてもよい。情報取得部１１５は、携帯端末１におけるアプリケーションに関する情報を取得する。情報取得部１１５は、例えば、アプリケーション管理装置３からダウンロードしたアプリケーションがインストールされている旨の情報、インストールしたアプリケーションの利用を開始した旨の情報、アプリケーションにログインした旨の情報などのアプリケーションに関する情報を取得することができる。
【００２６】
また、制御部１１は、必要に応じてアプリケーション制御部１１６を備えてもよい。アプリケーション制御部１１６は、アプリケーション管理装置３からインストールしたアプリケーションの利用開始の受け付け、及びアプリケーションを起動してアプリケーションにログインしたか否かの確認を行う。
【００２７】
公衆無線ＬＡＮアクセスポイント２は、接続要求受信部２０１、接続要求送信部２０２、インストール情報受信部２０３、インストール情報送信部２０４、携帯端末情報受信部２０５、携帯端末情報送信部２０６、接続確立情報受信部２０７、接続確立情報送信部２０８を備える。
【００２８】
接続要求受信部２０１は公衆回線網５への接続要求を携帯端末１から受信し、接続要求送信部２０２は当該接続要求をアプリケーション管理装置３へ送信する。インストール情報受信部２０３は携帯端末１がアプリケーションをインストールするために必要な情報をアプリケーション管理装置３から受信し、インストール情報送信部２０４は当該情報を携帯端末１へ送信する。携帯端末情報受信部２０５は公衆回線網５への接続要求を携帯端末１から受信し、携帯端末情報送信部２０６は公衆回線網５への接続要求をアプリケーション管理装置３へ送信する。接続確立情報受信部２０７は携帯端末１が公衆回線網５へ接続するために必要な接続確立情報を公衆無線ＬＡＮ接続制御装置４から受信し、接続確立情報送信部２０８は当該接続確立情報を携帯端末１へ送信する。
【００２９】
また、公衆無線ＬＡＮアクセスポイント２は、信号受信部２０９、信号送信部２１０を備える。信号受信部２０９は、携帯端末１のインストール部１１２が送信した、携帯端末１にアプリケーションがインストールされたことを示す信号を示す信号、又は携帯端末１がインストール情報を受信したことを示す信号を受信することができる。また、信号受信部２０９は、携帯端末１の送信部１１３が送信した、携帯端末１にアプリケーションがインストールされていることを示す信号、携帯端末１において当該アプリケーションの利用を開始したことを示す信号、又は携帯端末１において当該アプリケーションにログインしたことを示す信号を受信することができる。信号送信部２１０は、信号受信部２０９が受信した信号をアプリケーション管理装置３へ送信する。
【００３０】
アプリケーション管理装置３はアプリケーションに関するデータを記憶している。携帯端末１は、アプリケーション管理装置３からアプリケーションのデータをダウンロードしてインストールすることができる。アプリケーション管理装置３に記憶されているアプリケーションは、１種類でもよく２種類以上でもよい。
【００３１】
アプリケーション管理装置３は、接続要求受信部３１、インストール制御部３２、携帯端末情報送信部３３を備える。接続要求受信部３１は携帯端末１から公衆回線網５への接続要求を受信する。この受信は、公衆無線ＬＡＮアクセスポイント２経由であってもよい。インストール制御部３２は、携帯端末１がアプリケーションをインストールするために必要な情報を携帯端末１へ送信する。この送信は、公衆無線ＬＡＮアクセスポイント２経由であってもよい。携帯端末情報送信部３３は公衆回線網５への接続要求を公衆無線ＬＡＮ接続制御装置４へ送信する。
【００３２】
また、アプリケーション管理装置３は信号受信部３４を備えることができる。信号受信部３４は、携帯端末１に関する情報を示す信号を受信することができる。具体的には、携帯端末１にアプリケーションがインストールされたことを示す信号、携帯端末１がインストール情報を受信したことを示す信号、携帯端末１にアプリケーションがインストールされていることを示す信号、携帯端末１においてアプリケーションの利用を開始したことを示す信号、携帯端末１においてアプリケーションにログインしたことを示す信号などを受信することができる。
【００３３】
また、アプリケーション管理装置３は、接続確立情報受信部３７、接続確立情報送信部３８を備えてもよい。接続確立情報受信部３７は、公衆無線ＬＡＮ接続制御装置４の接続確立部４２から接続確立情報を受信する。接続確立情報送信部３８は、接続確立情報受信部３７が受信した接続確立情報を、公衆無線ＬＡＮアクセスポイント２の接続確立情報受信部２０７へ送信する。
【００３４】
公衆無線ＬＡＮアクセスポイント２が車両又は航空機に設置されている場合、公衆無線ＬＡＮアクセスポイント２は行き先情報送信部２１１を備えていてもよい。この場合、アプリケーション管理装置３は、行き先特定部３５とアプリケーション選択部３６を備えている。行き先情報送信部２１１は車両又は航空機の行き先に関する情報をアプリケーション管理装置３へ送信する。アプリケーション管理装置３の行き先特定部３５は車両又は航空機の行き先に関する情報を受信して車両又は航空機の行き先を特定する。アプリケーション選択部３６は、行き先に応じて携帯端末１にインストールさせるアプリケーションを選択する。
【００３５】
公衆無線ＬＡＮ接続制御装置４は、携帯端末１が公衆無線ＬＡＮアクセスポイント２を介して公衆回線網５へ接続する際に、その接続を制御する機能を有する。公衆無線ＬＡＮ接続制御装置４は、携帯端末情報受信部４１、接続確立部４２を備える。携帯端末情報受信部４１は、携帯端末１又はアプリケーション管理装置３から公衆回線網５への接続要求を受信する。接続確立部４２は公衆無線ＬＡＮアクセスポイント２を介した携帯端末１と公衆回線網５との間の接続を確立する。
【００３６】
また、公衆無線ＬＡＮ接続制御装置４は、必要に応じて信号受信部４３、情報確認部４４、接続上限時間設定部４５、接続切断部４６を備えていてもよい。信号受信部４３は、携帯端末１にアプリケーションがインストールされたことを示す信号、又は携帯端末１がインストール情報を受信したことを示す信号を受信することができる。
【００３７】
情報確認部４４は、信号受信部４３が受信した信号に含まれている情報を確認することができる。例えば、情報確認部４４は、信号受信部４３が受信した信号に、アプリケーションがインストールされている旨の情報、アプリケーションの利用を開始した旨の情報、アプリケーションにログインした旨の情報などが含まれているか否かを確認することができる。接続上限時間設定部４５は、携帯端末１に関する情報の中にアプリケーションにログインした旨の情報が含まれていない場合に、携帯端末１から公衆回線網５への接続上限時間を設定する。接続切断部４６は、携帯端末１から公衆回線網５への接続時間を累積し、接続上限時間に達した時点で携帯端末１と公衆回線網５との間の接続を切断する。
【００３８】
＜動作＞
次に、図３を参照して第１実施形態に係る公衆回線網接続制御方法を実施するためのシステムの動作を説明する。図３は、第１実施形態に係る公衆回線網接続制御方法における処理の流れの一例を示すシーケンス図である。
【００３９】
携帯端末１は、公衆無線ＬＡＮアクセスポイント２を経由してアプリケーション管理装置３との間でデータ送受信が可能である。一方で、携帯端末１は、公衆無線ＬＡＮアクセスポイント２を介した他の通信は許可されていない状態である。
【００４０】
図３に示すように、携帯端末１の接続要求部１１１は、公衆無線ＬＡＮアクセスポイント２に対して公衆回線網５への接続要求を送信し、公衆無線ＬＡＮアクセスポイント２の接続要求受信部２０１は接続要求を受信する（ステップＳ１０１）。公衆無線ＬＡＮアクセスポイント２の接続要求送信部２０２は接続要求をアプリケーション管理装置３へ送信し、アプリケーション管理装置３の接続要求受信部３１は接続要求を受信する（ステップＳ１０２）。
【００４１】
アプリケーション管理装置３のインストール制御部３２は、携帯端末１がアプリケーションをインストールするために必要な情報（インストール情報）を公衆無線ＬＡＮアクセスポイント２へ送信し、公衆無線ＬＡＮアクセスポイント２のインストール情報受信部２０３はインストール情報を受信する（ステップＳ１０３）。公衆無線ＬＡＮアクセスポイント２のインストール情報送信部２０４はインストール情報を携帯端末１へ送信する（ステップＳ１０４）。携帯端末１のインストール部１１２はインストール情報を受信してアプリケーションのインストールを行う（ステップＳ１０５）。
【００４２】
なお、公衆無線ＬＡＮアクセスポイント２は、携帯端末１がアプリケーションをインストールしたことを確認しなくてもよく、携帯端末１がインストール情報を受信したことを示す信号を受け取ってもよい（ステップＳ１０５の省略）。すなわち、携帯端末１のインストール部１１２は、インストール完了を待つことなく、インストール情報を受信した時点でインストール情報を受信したことを示す信号を公衆無線ＬＡＮアクセスポイント２へ送信し、公衆無線ＬＡＮアクセスポイント２の信号受信部２０９が当該信号を受信する構成を採用してもよい。
【００４３】
また、公衆無線ＬＡＮアクセスポイント２は、携帯端末１のアプリケーションのインストールの有無に関わらず、携帯端末１にアプリケーションがインストールされたことを示す信号をアプリケーション管理装置３に送信（後述するステップＳ１０７）してもよい（ステップＳ１０５及びステップＳ１０６の省略）。すなわち、公衆無線ＬＡＮアクセスポイント２の信号送信部２１０は、携帯端末１のインストール部１１２がアプリケーションをインストールしたか否かに関わらず、携帯端末１にアプリケーションがインストールされたことを示す信号をステップＳ１０４と同時又はステップＳ１０４の完了後に送信する構成を採用してもよい。
【００４４】
インストール（ステップＳ１０５）完了後、携帯端末１のインストール部１１２はインストールがされたことを示す信号を公衆無線ＬＡＮアクセスポイント２へ送信し、公衆無線ＬＡＮアクセスポイント２の信号受信部２０９は当該信号を受信する（ステップＳ１０６）。公衆無線ＬＡＮアクセスポイント２の信号送信部２１０はインストールがされたことを示す信号をアプリケーション管理装置３へ送信し、アプリケーション管理装置３の信号受信部３４は当該情報を受信する（ステップＳ１０７）。アプリケーション管理装置３の携帯端末情報送信部３３は、公衆回線網５への接続要求を公衆無線ＬＡＮ接続制御装置４へ送信し、公衆無線ＬＡＮ接続制御装置４の携帯端末情報受信部４１は、公衆回線網５への接続要求を受信する（ステップＳ１０８）。ここで、接続要求は、携帯端末１に関する情報を含んでおり、携帯端末１を一意に特定することが可能な情報である個体識別番号又はＩＰアドレスを含んでいる。
【００４５】
公衆無線ＬＡＮ接続制御装置４の接続確立部４２は、携帯端末１と公衆回線網５との間の接続を確立するために必要な接続確立情報を公衆無線ＬＡＮアクセスポイント２へ送信し、公衆無線ＬＡＮアクセスポイント２の接続確立情報受信部２０７は当該接続確立情報を受信する（ステップＳ１０９）。公衆無線ＬＡＮアクセスポイント２の接続確立情報送信部２０８は接続確立情報を携帯端末１へ送信し、携帯端末１の受信部１１４は接続確立情報を受信する（ステップＳ１１０）。以上の手順により、携帯端末１は公衆無線ＬＡＮアクセスポイント２経由で公衆回線網５へ接続することが可能となる。
【００４６】
なお、公衆無線ＬＡＮ接続制御装置４は、アプリケーション管理装置３を介して接続確立情報を公衆無線ＬＡＮアクセスポイント２へ送信してもよい（ステップＳ１０９の分割）。すなわち、公衆無線ＬＡＮ接続制御装置４の接続確立部４２がアプリケーション管理装置３の接続確立情報受信部３７へ接続確立情報を送信し、当該接続確立情報を、アプリケーション管理装置３の接続確立情報送信部３８が公衆無線ＬＡＮアクセスポイント２の接続確立情報受信部２０７へ送信する構成を採用してもよい。
【００４７】
本実施形態では、公衆回線網５へ接続するためにはアプリケーション管理装置３からアプリケーションをインストールしなければならず、携帯端末１を所有するユーザは当該アプリケーションを必然的に認知することとなる。このため、アプリケーション提供側からすれば、アプリケーションの認知度向上及びアプリケーションの普及を図ることが可能である。
【００４８】
本実施形態においてアプリケーションの種類は特に限定されないが、例えば、条件を指定して希望する店舗を検索することが可能な店舗検索用アプリケーションが挙げられる。店舗検索用アプリケーションとしては、例えば、飲食店検索用アプリケーションがある。すなわち、公衆回線網５との通信を可能にすることを目的とした通信用のアプリケーションではないアプリケーションである。なお、前記アプリケーションで検索可能な施設は、飲食店舗に限らず、ホテル、カラオケ、ゴルフ場、又はスポーツ施設などの各種の施設が含まれていてもよい。さらに、前記アプリケーションでは、前記施設の情報の提供だけでなく、前記施設の予約を受け付けることも可能である。
【００４９】
店舗検索用アプリケーションは、新規ユーザの獲得競争が激しく、宣伝・広告といった従前のマーケティング手法だけでは他との差別化を図ることが難しくなってきている。しかしながら、本実施形態によれば、従前とは全く異なるアプローチでユーザにアプリケーションを認知してもらうことが可能であり、ユーザの新規獲得に貢献することができる。
【００５０】
次に、図４を参照して、第１実施形態の第１変形例に係る公衆回線網接続制御方法を実施するためのシステムの動作を説明する。なお、以後の実施形態は、第１実施形態と異なる点について説明し、同様の点は同じ符号を付すなどして説明を割愛する。図４は、第１実施形態の第１変形例に係る公衆回線網接続制御方法における処理の流れの一例を示すシーケンス図である。
【００５１】
図３に示した第１実施形態においては、アプリケーション管理装置３は、携帯端末１にアプリケーションをインストールさせた場合に公衆無線ＬＡＮ接続制御装置４に対して公衆回線網５への接続要求を送信したが、図４に示す第１実施形態の第１変形例では、アプリケーション管理装置３は、携帯端末１にインストール情報が送信された場合に、公衆無線ＬＡＮ接続制御装置４に対して公衆回線網５への接続要求を送信する。
【００５２】
携帯端末１の接続要求部１１１は、公衆無線ＬＡＮアクセスポイント２に対して公衆回線網５への接続要求を送信し、公衆無線ＬＡＮアクセスポイント２の接続要求受信部２０１は接続要求を受信する（ステップＳ２０１）。公衆無線ＬＡＮアクセスポイント２の接続要求送信部２０２は接続要求をアプリケーション管理装置３へ送信し、アプリケーション管理装置３の接続要求受信部３１は接続要求を受信する（ステップＳ２０２）。
【００５３】
アプリケーション管理装置３のインストール制御部３２は、インストール情報を公衆無線ＬＡＮアクセスポイント２へ送信し、公衆無線ＬＡＮアクセスポイント２のインストール情報受信部２０３はインストール情報を受信する（ステップＳ２０３）。ステップＳ２０３においてインストール制御部３２がインストール情報を送信すると、アプリケーション管理装置３の携帯端末情報送信部３３は、公衆回線網５への接続要求を公衆無線ＬＡＮ接続制御装置４へ送信し、公衆無線ＬＡＮ接続制御装置４の携帯端末情報受信部４１は、公衆回線網５への接続要求を受信する（ステップＳ２０４）。
【００５４】
なお、ステップＳ２０４は、ステップＳ２０２とステップＳ２０３との間に実行されてもよい。すなわち、アプリケーション管理装置３は、公衆回線網５への接続要求を受信した後（ステップＳ２０２の後）且つインストール情報を送信する前（ステップＳ２０３の前）に、公衆回線網５への接続要求を公衆無線ＬＡＮ接続制御装置４へ送信してもよい。または、ステップＳ２０４は、ステップＳ２０３と同時に実行されてもよい。
【００５５】
公衆無線ＬＡＮアクセスポイント２のインストール情報送信部２０４はインストール情報を携帯端末１へ送信する（ステップＳ２０５）。携帯端末１のインストール部１１２はインストール情報を受信してアプリケーションのインストールを行う（ステップＳ２０６）。なお、ステップＳ２０４及びステップＳ２０５の処理はどちらが先に実行されてもよい。
【００５６】
インストール完了後、携帯端末１のインストール部１１２は、インストールが完了したことを示す信号を公衆無線ＬＡＮアクセスポイント２へ送信し、公衆無線ＬＡＮアクセスポイント２の信号受信部２０９は当該信号を受信する（ステップＳ２０７）。公衆無線ＬＡＮアクセスポイント２の信号送信部２１０はインストールが完了したことを示す信号を公衆無線ＬＡＮ接続制御装置４へ送信し、公衆無線ＬＡＮ接続制御装置４の信号受信部４３は当該信号を受信する（ステップＳ２０８）。
【００５７】
なお、ステップＳ２０８において公衆無線ＬＡＮアクセスポイント２は、インストールが完了したことを示す信号を、アプリケーション管理装置３を介して公衆無線ＬＡＮ接続制御装置４へ送信してもよい。すなわち、インストールが完了したことを示す信号をアプリケーション管理装置３の信号受信部３４が受信して、携帯端末情報送信部３３が公衆無線ＬＡＮ接続制御装置４へ送信してもよい。これにより、アプリケーション管理装置３は、携帯端末１においてインストールが完了したことを示す信号を取得することができる。
【００５８】
公衆無線ＬＡＮ接続制御装置４の接続確立部４２は、接続確立情報を公衆無線ＬＡＮアクセスポイント２へ送信し、公衆無線ＬＡＮアクセスポイント２の接続確立情報受信部２０７は接続確立情報を受信する（ステップＳ２０９）。公衆無線ＬＡＮアクセスポイント２の接続確立情報送信部２０８は接続確立情報を携帯端末１へ送信し、携帯端末１の受信部１１４は接続確立情報を受信する（ステップＳ２１０）。以上の手順により、携帯端末１は公衆無線ＬＡＮアクセスポイント２経由で公衆回線網５へ接続することが可能となる。
【００５９】
なお、ステップＳ２０９において、公衆無線ＬＡＮ接続制御装置４は、接続確立情報を、アプリケーション管理装置３を介して公衆無線ＬＡＮアクセスポイント２へ送信してもよい。すなわち、公衆無線ＬＡＮ接続制御装置４の接続確立部４２がアプリケーション管理装置３の接続確立情報受信部３７へ接続確立情報を送信し、当該接続確立情報を、アプリケーション管理装置３の接続確立情報送信部３８が公衆無線ＬＡＮアクセスポイント２の接続確立情報受信部２０７へ送信する構成を採用してもよい。
【００６０】
次に、図５を参照して、第２実施形態に係る公衆回線網接続制御方法を実施するためのシステムの動作を説明する。図５は、第２実施形態に係る公衆回線網接続制御方法における処理の流れの一例を示すシーケンス図である。
【００６１】
図３に示した第１実施形態及び図４に示した第１変形例においては、公衆無線ＬＡＮ接続制御装置４は、公衆回線網５への接続要求を、アプリケーション管理装置３から受信したが、図５に示す第２実施例では携帯端末１から受信する。
【００６２】
携帯端末１の接続要求部１１１は、公衆無線ＬＡＮアクセスポイント２に対して公衆回線網５への接続要求を送信し、公衆無線ＬＡＮアクセスポイント２の接続要求受信部２０１は接続要求を受信する（ステップＳ３０１）。公衆無線ＬＡＮアクセスポイント２の接続要求送信部２０２は接続要求をアプリケーション管理装置３へ送信し、アプリケーション管理装置３の接続要求受信部３１は、接続要求を受信する（ステップＳ３０２）。
【００６３】
アプリケーション管理装置３のインストール制御部３２は、インストール情報を公衆無線ＬＡＮアクセスポイント２へ送信し、公衆無線ＬＡＮアクセスポイント２のインストール情報受信部２０３はインストール情報を受信する（ステップＳ３０３）。公衆無線ＬＡＮアクセスポイント２のインストール情報送信部２０４はインストール情報を携帯端末１へ送信する（ステップＳ３０４）。携帯端末１のインストール部１１２はインストール情報を受信してアプリケーションのインストールを行う（ステップＳ３０５）。
【００６４】
インストール完了後、携帯端末１の接続要求部１１１は、公衆回線網５への接続要求を公衆無線ＬＡＮアクセスポイント２へ送信し、公衆無線ＬＡＮアクセスポイント２の接続要求受信部２０１は、公衆回線網５への接続要求を受信する（ステップＳ３０６）。公衆無線ＬＡＮアクセスポイント２の接続要求送信部２０２は、公衆回線網５への接続要求を公衆無線ＬＡＮ接続制御装置４へ送信し、公衆無線ＬＡＮ接続制御装置４の携帯端末情報受信部４１は、公衆回線網５への接続要求を受信する（ステップＳ３０７）。
【００６５】
なお、ステップＳ３０７において公衆無線ＬＡＮアクセスポイント２は、接続要求を、アプリケーション管理装置３を介して公衆無線ＬＡＮ接続制御装置４へ送信してもよい。すなわち、公衆無線ＬＡＮアクセスポイント２の接続要求送信部２０２が、公衆回線網５への接続要求をアプリケーション管理装置３の接続要求受信部３１へ送信し、当該接続要求を、アプリケーション管理装置３の携帯端末情報送信部３３が公衆無線ＬＡＮ接続制御装置４の携帯端末情報受信部４１へ送信する構成を採用してもよい。
【００６６】
公衆無線ＬＡＮ接続制御装置４の接続確立部４２は、携帯端末１と公衆回線網５との間の接続を確立するために必要な接続確立情報を公衆無線ＬＡＮアクセスポイント２へ送信し、公衆無線ＬＡＮアクセスポイント２の接続確立情報受信部２０７は接続確立情報を受信する（ステップＳ３０８）。公衆無線ＬＡＮアクセスポイント２の接続確立情報送信部２０８は接続確立情報を携帯端末１へ送信し、携帯端末１の受信部１１４は接続確立情報を受信する（ステップＳ３０９）。以上の手順により、携帯端末１は公衆無線ＬＡＮアクセスポイント２経由で公衆回線網５へ接続することが可能となる。
【００６７】
なお、ステップＳ３０８において、公衆無線ＬＡＮ接続制御装置４は、接続確立情報を、アプリケーション管理装置３を介して公衆無線ＬＡＮアクセスポイント２へ送信してもよい。すなわち、公衆無線ＬＡＮ接続制御装置４の接続確立部４２がアプリケーション管理装置３の接続確立情報受信部３７へ接続確立情報を送信し、当該接続確立情報を、アプリケーション管理装置３の接続確立情報送信部３８が公衆無線ＬＡＮアクセスポイント２の接続確立情報受信部２０７へ送信する構成を採用してもよい。
【００６８】
次に、図６を参照して、第３実施形態に係る公衆回線網接続制御方法について説明する。図６は、第３実施形態に係るアプリケーション管理装置３及び公衆無線ＬＡＮ接続制御装置４における処理手順の一例を示すフローチャートである。
【００６９】
本実施形態において、携帯端末１、公衆無線ＬＡＮアクセスポイント２、アプリケーション管理装置３及び公衆無線ＬＡＮ接続制御装置の構成は、基本的には第１実施形態又は第２実施形態と同様であるが、携帯端末１は更に情報取得部１１５を備えている。情報取得部１１５は、携帯端末１におけるアプリケーションに関する情報を取得する。携帯端末１の送信部１１３は、情報取得部１１５が取得したアプリケーションに関する情報を、信号としてアプリケーション管理装置３へ送信し、アプリケーション管理装置３の信号受信部３４が当該信号を受信する。携帯端末１の送信部１１３が信号を送信するタイミングは、公衆無線ＬＡＮ接続制御装置４が接続確立情報を送信する前であればよい。
【００７０】
本実施形態は、図６に示すようにアプリケーション管理装置３及び公衆無線ＬＡＮ接続制御装置４を主体として説明する。アプリケーション管理装置３の信号受信部３４は、携帯端末１のアプリケーションに関する信号を受信する（ステップＳ４０１）。当該携帯端末１は、公衆回線網５への接続を要求している携帯端末である。アプリケーション管理装置３の信号受信部３４は、アプリケーションに関する情報を確認し、アプリケーション管理装置３からダウンロードしたアプリケーションが携帯端末１にインストールされていることを示す信号が含まれているか否かを確認する（ステップＳ４０２）。携帯端末１にアプリケーションがインストールされていることを示す信号が含まれている場合（ステップＳ４０２：Ｙｅｓ）、公衆無線ＬＡＮ接続制御装置４の接続確立部４２は、公衆無線ＬＡＮアクセスポイント２を介した携帯端末１と公衆回線網５との間の接続を確立し（ステップＳ４０３）、接続が確立されたら処理を終了する。
【００７１】
一方で、携帯端末１にアプリケーションがインストールされていることを示す信号が含まれていない場合、すなわち携帯端末１からアプリケーションがアンインストールされている場合（ステップＳ４０２：Ｎｏ）、携帯端末１と公衆回線網５との間の接続は確立されず（ステップＳ４０４）、処理を終了する。
【００７２】
本実施形態では、公衆回線網５への接続にあたり、アプリケーション管理装置３からダウンロードしたアプリケーションが携帯端末１にインストールされていることを条件としており、ユーザが携帯端末１からアプリケーションをアンインストールしてしまうと公衆回線網５へ接続することができない。したがって、本実施形態によれば、ユーザがアプリケーションをアンインストールする事態を防止して当該アプリケーションの利用機会を増加させることで、ユーザにアプリケーションの継続的な利用を促すことができる。
【００７３】
また、本実施形態において、アプリケーションがインストールされていることを示す信号が含まれているという条件に代えて、アプリケーションの利用を開始したことを示す信号が含まれていることを条件としてもよい。この場合、携帯端末１は、アプリケーションの利用開始を受け付けるアプリケーション制御部１１６を備える。
【００７４】
アプリケーションの利用開始を受け付ける手段は特に限定されない。例えば、アプリケーション制御部１１６が、携帯端末１の表示部１４にアプリケーションを利用するか否かを選択させる操作ボタンを表示させ、利用する旨の操作ボタンが選択されたことを入力部１５が感知することによってアプリケーションの利用開始を受け付けてもよい。
【００７５】
上記条件では、携帯端末１から公衆回線網５へ接続するためには、アプリケーションをインストールするだけでなくアプリケーションの利用を開始しなければならない。そのため、携帯端末１を所有するユーザに対してアプリケーションの利用を促して、その動作を実際に体験してもらうことが可能である。
【００７６】
また、本実施形態において、アプリケーションがインストールされていることを示す信号が含まれているという条件に代えて、アプリケーションにログインしたことを示す信号が含まれていることを条件としてもよい。この場合、携帯端末１は、アプリケーションを起動してログインされたか否かを確認するアプリケーション制御部１１６を備える。
【００７７】
上記条件では、携帯端末１から公衆回線網５へ接続するためには、アプリケーションにログインしなければならない。そのため、携帯端末１を所有するユーザに対してアプリケーションの利用を促して、その動作を実際に体験してもらうことが可能である。また、アプリケーション提供側はログインユーザを獲得することができ、ログイン情報に紐付いたアクセスログ及びユーザ属性などの情報をアプリケーション管理装置３に蓄積して、アプリケーションの更なる認知度向上のためにこれらの情報を活用することが可能である。
【００７８】
次に、図７を参照して、第４実施形態に係る公衆回線網接続制御方法について説明する。図７は、第４実施形態に係るアプリケーション管理装置３及び公衆無線ＬＡＮ接続制御装置４における処理手順の一例を示すフローチャートである。本実施形態における携帯端末１、公衆無線ＬＡＮアクセスポイント２、アプリケーション管理装置３及び公衆無線ＬＡＮ接続制御装置４の構成は上記第３実施形態と同様である。
【００７９】
本実施形態は、図７に示すようにアプリケーション管理装置３及び公衆無線ＬＡＮ接続制御装置４を主体として説明する。アプリケーション管理装置３の信号受信部３４は、携帯端末１のアプリケーションに関する情報を受信する（ステップＳ５０１）。当該携帯端末１は、公衆回線網５への接続を要求している携帯端末である。アプリケーション管理装置３の信号受信部３４は、アプリケーションに関する情報を確認し、携帯端末１においてアプリケーションにログインしたことを示す信号が含まれているか否かを確認する（ステップＳ５０２）。アプリケーションにログインしたことを示す信号が含まれている場合（ステップＳ５０２：Ｙｅｓ）、公衆無線ＬＡＮ接続制御装置４の接続確立部４２は、公衆無線ＬＡＮアクセスポイント２を介した携帯端末１と公衆回線網５との間の接続を確立し（ステップＳ５０３）、接続が確立されたら処理を終了する。
【００８０】
一方で、携帯端末１においてアプリケーションにログインしたことを示す信号が含まれていない場合、すなわちアプリケーションにログインしなかった場合（ステップＳ５０２：Ｎｏ）、公衆無線ＬＡＮ接続制御装置４の接続上限時間設定部４５は、携帯端末１から公衆回線網５への接続上限時間を設定する（ステップＳ５０４）。接続確立部４４は、公衆無線ＬＡＮアクセスポイント２を介した携帯端末１と公衆回線網５との間の接続を確立する（ステップＳ５０５）。接続切断部４６は、携帯端末１から公衆回線網５への接続時間を累積して、接続時間の合計が接続上限時間に達すると（ステップＳ５０６）、接続を切断し（ステップＳ５０７）、処理を終了する。
【００８１】
本実施形態では、アプリケーションにログインしない場合には公衆回線網５への接続時間に上限が設けられている。このような構成とすることにより、携帯端末１を所有するユーザに対してアプリケーションにログインする動機付けを与えることができ、ログインユーザ数の増加を図ることが可能である。
【００８２】
上述の各実施形態において、公衆無線ＬＡＮアクセスポイント２は、車両又は航空機に設置されていてもよい。車両は、車輪がついた乗り物であれば特に限定されず、例えば、鉄道車両、汽車、自動車などが挙げられる。航空機は、人が乗って空中を航行可能であれば特に限定されず、例えば、飛行機、ヘリコプター、飛行船、グライダーなどが挙げられる。
【００８３】
また、前記接続上限時間の設定手法は上述したものに限らない。例えば、公衆無線ＬＡＮ接続制御装置４の接続上限時間設定部４５は、携帯端末１における前記アプリケーションの使用時間及び使用内容を当該携帯端末１ごとの使用履歴として記録する。そして、接続上限時間設定部４５は、携帯端末１から公衆回線網５への接続上限時間を設定する際に、前記使用履歴に応じて接続上限時間を設定することが考えられる。これにより、接続確率部４４及び接続切断部４６は、前記接続上限時間に達するまでの間だけ、前記公衆回線網への接続要求を確立することになる。従って、前記アプリケーションの使用実績に応じた前記公衆回線網の使用をユーザに提供することが可能となり、前記アプリケーションの使用を促すことが可能となる。なお、前記使用履歴には、前記使用時間及び前記使用内容の少なくとも一方が含まれていればよい。
【００８４】
より具体的に、接続上限時間設定部４５は、携帯端末１における前記アプリケーションの使用時間が長いほど前記接続上限時間を長く設定することが考えられる。これにより、前記アプリケーションの長時間の使用を促すことが可能となり、例えば前記アプリケーションで表示される情報提供画面の閲覧時間を長期化させることが可能となる。即ち、前記アプリケーションを使用してユーザに多くの情報を提示することが可能となるため、例えば、前記情報提供画面で表示される施設の宣伝効果を高めることが可能となる。また、前記使用内容が、前記アプリケーションを使用した施設の予約回数又は予約頻度であり、接続上限時間設定部４５が、前記予約回数が多いほど又は前記予約頻度が高いほど前記接続上限時間を長く設定することが考えられる。これにより、前記アプリケーションの使用を促すだけでなく、実際に当該アプリケーションを使用した予約を効果的に促すことが可能である。
【００８５】
また、前記使用内容は、前記携帯端末において前記アプリケーションを使用して予約された施設の種類及び予約使用時間の少なくとも一方を含むことも考えられる。そして、接続上限時間設定部４５は、前記施設の種類に応じて推定される使用時間又は前記予約使用時間が長いほど前記接続上限時間を長く設定することが考えられる。なお、前記予約使用時間は、予約対象の施設を使用する期間である。一方、施設の種類には、例えば飲食店舗、ホテル、カラオケ、ゴルフ場、又はスポーツ施設などの各種の施設が含まれる。そして、前記予約使用時間は、施設の種類に応じて推定することも可能である。例えば、施設の種類がホテルである場合には、少なくとも２日間の使用が推定され、施設の種類が飲食店舗である場合には、数時間の使用が推定される。これにより、前記アプリケーションを用いた予約内容の重みによって、前記接続上限時間の長さを変動させることが可能となる。
【００８６】
次に、第５実施形態に係る公衆回線網接続制御方法について説明する。本実施形態では、携帯端末１を所有するユーザは、無線ＬＡＮアクセスポイント２が設置された車両又は航空機に乗っている。アプリケーション管理装置３には、２種類以上のアプリケーションに関するデータが格納されている。
【００８７】
本実施形態において、携帯端末１、公衆無線ＬＡＮアクセスポイント２、アプリケーション管理装置３及び公衆無線ＬＡＮ接続制御装置４は、上記各実施形態の構成を採用することができるが、公衆無線ＬＡＮアクセスポイント２は、更に行き先情報送信部２１１を備えており、アプリケーション管理装置３は、更に行き先特定部３５とアプリケーション選択部３６を備えている。
【００８８】
公衆無線ＬＡＮアクセスポイント２の接続要求受信部２０１が、公衆回線網５への接続要求を携帯端末１から受信し、接続要求送信部２０２が当該接続要求をアプリケーション管理装置３へ送信すると、公衆無線ＬＡＮアクセスポイント２の行き先情報送信部２１１は車両又は航空機の行き先に関する情報をアプリケーション管理装置３へ送信する。アプリケーション管理装置３の行き先特定部３５は、車両又は航空機の行き先に関する情報を受信して車両又は航空機の行き先を特定する。アプリケーション管理装置３のアプリケーション選択部３６は、行き先に応じて携帯端末１にインストールさせるアプリケーションを選択する。その後、アプリケーション管理装置３のインストール制御部３２は、選択されたアプリケーションのインストール情報を携帯端末１へ向けて送信する。以後は上述の各実施形態における処理手順と同様である。
【００８９】
行き先情報送信部２１１が送信する車両又は航空機の行き先に関する情報には、車両又は航空機の行き先を特定できる情報が含まれる。例えば、車両の列車名又は航空機の便名と年月日の組み合わせに係る情報が挙げられる。
【００９０】
行き先特定部３５が特定する車両又は航空機の行き先としては、例えば、到着する駅又は空港の名称、到着する駅又は空港が存在する地域名又は国名などが挙げられる。
【００９１】
以下、本実施形態において、携帯端末１にインストールされるアプリケーションが店舗検索用アプリケーションであって、店舗が存在する地域ごとに異なる種類のアプリケーションがアプリケーション管理装置３に記憶されている場合を例に挙げて説明する。
【００９２】
アプリケーション管理装置３には、Ａ地域に存在する店舗が登録されているＡ地域向け店舗検索用アプリケーションと、Ｂ地域に存在する店舗が登録されているＢ地域向け店舗アプリケーションの２種類が記憶されている。アプリケーション管理装置３の行き先特定部３５が特定した行き先がＡ地域である場合、アプリケーション選択部３６はアプリケーション管理装置３に記憶された２種類のアプリケーションの中からＡ地域向け店舗検索用アプリケーションを選択する。
【００９３】
本実施形態では、ユーザが乗っている車両又は航空機の行き先に応じたアプリケーションを選択して携帯端末１にインストールさせるため、ユーザが目的地に到着した後も継続して当該アプリケーションを利用する可能性を高めることができる。
【００９４】
上述した各実施形態では、アプリケーション管理装置３及び公衆無線ＬＡＮ接続制御装置４をそれぞれ独立して存在する構成としたが、各実施形態は、この構成に限定されない。すなわち、アプリケーション管理装置３及び公衆無線ＬＡＮ接続制御装置４が一体に存在してよい。この場合、アプリケーション管理装置３及び公衆無線ＬＡＮ接続制御装置４間の情報の送信は、省略することができる。例えば、図３においてステップＳ１０８及びステップＳ１０９は、一体とすることができる。より詳細には、インストール完了通知を受信した場合には、その後のステップとして接続確立情報を公衆無線ＬＡＮアクセスポイント２に送信する。
【００９５】
また、図３〜５に示す第１実施形態及びその変形例、並びに第２実施形態において、インストール情報を携帯端末１が受信し、携帯端末１がアプリケーションのインストールを行ったことをアプリケーション管理装置３が確認した場合に、携帯端末１の公衆回線網５への接続を許可していたが、アプリケーションのインストールを促進する効果だけ得られる構成であれば、アプリケーションのインストールの有無の確認は不要である。すなわち、携帯端末１にインストール情報を送信した際に携帯端末１の公衆回線網５への接続を許可してもよい。
【００９６】
具体的には、図４に示す第１実施形態の変形例を元に説明する。携帯端末１の接続要求部１１１は、公衆無線ＬＡＮアクセスポイント２に対して公衆回線網５への接続要求を送信し、公衆無線ＬＡＮアクセスポイント２の接続要求受信部２０１は接続要求を受信する（ステップＳ２０１）。公衆無線ＬＡＮアクセスポイント２の接続要求送信部２０２は接続要求をアプリケーション管理装置３へ送信し、アプリケーション管理装置３の接続要求受信部３１は接続要求を受信する（ステップＳ２０２）。そして、アプリケーション管理装置３のインストール制御部３２は、インストール情報を公衆無線ＬＡＮアクセスポイント２へ送信し、公衆無線ＬＡＮアクセスポイント２のインストール情報受信部２０３はインストール情報を受信する（ステップＳ２０３）。ステップＳ２０３においてインストール制御部３２がインストール情報を送信したのと同時またはそれ以降に、アプリケーション管理装置３の携帯端末情報送信部３３は、公衆回線網５への接続要求を公衆無線ＬＡＮ接続制御装置４へ送信し、公衆無線ＬＡＮ接続制御装置４の携帯端末情報受信部４１は、公衆回線網５への接続要求を受信する（ステップＳ２０４）。
【００９７】
以上、本発明を実施するための形態について詳説したが、携帯端末１、公衆無線ＬＡＮアクセスポイント２、アプリケーション管理装置３又は公衆無線ＬＡＮ接続制御装置４に、上述の公衆回線網接続制御方法を実行させるためのプログラムも本発明に含まれる。
【００９８】
なお、上記複数の実施形態は、その構成・動作に矛盾が生じない範囲において、組み合わせて実施することが可能である。
【００９９】
［発明の付記］
以下、上述の実施形態から抽出される発明の概要について付記する。なお、以下の付記で説明する各構成及び各処理機能は取捨選択して任意に組み合わせることが可能である。
【０１００】
＜付記１＞
携帯端末から、公衆回線網への接続要求を受信するステップと、
前記公衆回線網への接続要求を受信した場合に、アプリケーションを前記携帯端末にインストールさせる、又はインストール情報を送信するステップと、
前記公衆回線網への接続要求を受信した場合に、公衆無線ＬＡＮ接続制御装置に対して前記公衆回線網への接続要求を送信するステップと、
を含む公衆回線網接続制御方法。
【０１０１】
＜付記２＞
前記携帯端末に前記アプリケーションがインストールされた、又は前記携帯端末が前記インストール情報を受信したことを示す信号を受信した場合に、前記公衆無線ＬＡＮ接続制御装置に対して前記公衆回線網への接続要求を送信する付記１に記載の公衆回線網接続制御方法。
【０１０２】
＜付記３＞
前記アプリケーションのインストール、又は前記インストール情報の前記携帯端末への送信は、公衆無線ＬＡＮアクセスポイントを介して行われ、
前記公衆無線ＬＡＮアクセスポイントが前記アプリケーションのインストール、又は前記インストール情報の前記携帯端末への送信を行ったことを示す信号を受信した場合に、前記公衆無線ＬＡＮ接続制御装置に対して前記公衆回線網への接続要求を送信する付記１に記載の公衆回線網接続制御方法。
【０１０３】
＜付記４＞
前記携帯端末にて前記アプリケーションの利用を開始したことを示す信号を受信した場合に、前記公衆無線ＬＡＮ接続制御装置に対して前記公衆回線網への接続要求を送信する付記１〜３のいずれか一項に記載の公衆回線網接続制御方法。
【０１０４】
＜付記５＞
前記携帯端末にて前記アプリケーションへログインしたことを示す信号を受信した場合に、前記公衆無線ＬＡＮ接続制御装置に対して前記公衆回線網への接続要求を送信する付記１〜４のいずれか一項に記載の公衆回線網接続制御方法。
【０１０５】
＜付記６＞
前記携帯端末にて前記アプリケーションへログインしたことを示す信号を受信しなかった場合に、前記公衆無線ＬＡＮ接続制御装置に対して接続上限時間を設定した上で前記公衆回線網への接続要求を送信する、付記１〜５のいずれか一項に記載の公衆回線網接続制御方法。
【０１０６】
＜付記７＞
前記携帯端末における前記アプリケーションの使用時間及び使用内容の少なくとも一方に応じて接続上限時間を設定した上で前記公衆回線網への接続要求を送信する、付記１〜５のいずれか一項に記載の公衆回線網接続制御方法。
【０１０７】
＜付記８＞
前記携帯端末における前記アプリケーションの使用時間が長いほど前記接続上限時間が長く設定される、付記７に記載の公衆回線網接続制御方法。
【０１０８】
＜付記９＞
前記使用内容が、前記アプリケーションを使用した施設の予約回数又は予約頻度を含み、
前記予約回数が多いほど又は前記予約頻度が高いほど前記接続上限時間が長く設定される、付記７又は８に記載の公衆回線網接続制御方法。
【０１０９】
＜付記１０＞
前記使用内容が、前記携帯端末において前記アプリケーションを使用して予約された施設の種類及び予約使用時間の少なくとも一方を含み、
前記施設の種類に応じて推定される使用時間又は前記予約使用時間が長いほど前記接続上限時間が長く設定される、付記１〜５のいずれかに記載の公衆回線網接続制御方法。
【０１１０】
＜付記１１＞
携帯端末から、公衆回線網への接続要求を受信するステップと、
前記公衆回線網への接続要求を受信した場合に、アプリケーションを前記携帯端末にインストールさせる、又はインストール情報を送信するステップと、
前記公衆回線網への接続を確立するステップと、
を含む公衆回線網接続制御方法。
【０１１１】
＜付記１２＞
前記携帯端末に前記アプリケーションがインストールされた、又は前記携帯端末が前記インストール情報を受信したことを示す信号を受信した場合に、前記公衆回線網への接続を確立する付記１１に記載の公衆回線網接続制御方法。
【０１１２】
＜付記１３＞
前記アプリケーションのインストール、又は前記インストール情報の前記携帯端末への送信は、公衆無線ＬＡＮアクセスポイントを介して行われ、
前記公衆無線ＬＡＮアクセスポイントが前記アプリケーションのインストール、又は前記インストール情報の前記携帯端末への送信を行ったことを示す信号を受信した場合に、前記公衆回線網への接続を確立する付記１１に記載の公衆回線網接続制御方法。
【０１１３】
＜付記１４＞
前記携帯端末にて前記アプリケーションの利用を開始したことを示す信号を受信した場合に、前記公衆回線網への接続を確立する付記１１〜１３のいずれか一項に記載の公衆回線網接続制御方法。
【０１１４】
＜付記１５＞
前記携帯端末にて前記アプリケーションへログインしたことを示す信号を受信した場合に、前記公衆回線網への接続を確立する付記１１〜１４のいずれか一項に記載の公衆回線網接続制御方法。
【０１１５】
＜付記１６＞
前記携帯端末にて前記アプリケーションへログインしたことを示す信号を受信しなかった場合に、接続上限時間を設定した上で前記公衆回線網への接続を確立する、付記１１〜１５のいずれか一項に記載の公衆回線網接続制御方法。
【０１１６】
＜付記１７＞
前記携帯端末における前記アプリケーションの使用時間及び使用内容の少なくとも一方に応じて接続上限時間を設定した上で前記公衆回線網への接続要求を確立する、付記１１〜１５のいずれか一項に記載の公衆回線網接続制御方法。
【０１１７】
＜付記１８＞
前記携帯端末における前記アプリケーションの使用時間が長いほど前記接続上限時間が長く設定される、付記１７に記載の公衆回線網接続制御方法。
【０１１８】
＜付記１９＞
前記使用内容が、前記アプリケーションを使用した施設の予約回数又は予約頻度を含み、
前記予約回数が多いほど又は前記予約頻度が高いほど前記接続上限時間が長く設定される、付記１７又は１８に記載の公衆回線網接続制御方法。
【０１１９】
＜付記２０＞
前記使用内容が、前記携帯端末において前記アプリケーションを使用して予約された施設の種類及び予約使用時間の少なくとも一方を含み、
前記施設の種類に応じて推定される使用時間又は前記予約使用時間が長いほど前記接続上限時間が長く設定される、付記１７〜１９のいずれかに記載の公衆回線網接続制御方法。
【０１２０】
＜付記２１＞
携帯端末から、公衆回線網への接続要求を受信する接続要求受信部と、
前記接続要求受信部が公衆回線網への接続要求を受信した場合に、アプリケーションを前記携帯端末にインストールさせる、又はインストール情報を送信するインストール制御部と、
前記接続要求受信部が前記公衆回線網への接続要求を受信した場合に、公衆無線ＬＡＮ接続制御装置に対して前記公衆回線網への接続要求を送信する接続要求送信部と、
を備えるアプリケーション管理装置。
【０１２１】
＜付記２２＞
携帯端末から、公衆回線網への接続要求を受信する接続要求受信部と、
前記接続要求受信部が公衆回線網への接続要求を受信した場合に、アプリケーションを前記携帯端末にインストールさせる、又はインストール情報を送信するインストール制御部と、
前記公衆回線網への接続を確立する接続確立部と、
を備えるアプリケーション管理装置。
【符号の説明】
【０１２２】
１  携帯端末
２  公衆無線ＬＡＮアクセスポイント
３  アプリケーション管理装置
４  公衆無線ＬＡＮ接続制御装置
５  公衆回線網
１１  制御部
１２  記憶部
１３  通信部
１４  表示部
１５  入力部
３１  接続要求受信部
３２  インストール制御部
３３  携帯端末情報送信部
３４  信号受信部
３５  行き先特定部
３６  アプリケーション選択部
３７  接続確立情報受信部
３８  接続確立情報送信部
４１  携帯端末情報受信部
４２  接続確立部
４３  信号受信部
４４  情報確認部
４５  接続上限時間設定部
４６  接続切断部
１１１  接続要求部
１１２  インストール部
１１３  送信部
１１４  受信部
１１５  情報取得部
１１６  アプリケーション制御部
２０１  接続要求受信部
２０２  接続要求送信部
２０３  インストール情報受信部
２０４  インストール情報送信部
２０５  携帯端末情報受信部
２０６  携帯端末情報送信部
２０７  接続確立情報受信部
２０８  接続確立情報送信部
２０９  信号受信部
２１０  信号送信部
２１１  行き先情報送信部
【図１】
2017204850.tif 000003
【図２】
2017204850.tif 000004
【図３】
2017204850.tif 000005
【図４】
2017204850.tif 000006
【図５】
2017204850.tif 000007
【図６】
2017204850.tif 000008
【図７】
2017204850.tif 000009